【手続補正書】
【提出日】平成19年1月15日(2007.1.15)
【手続補正１】
【補正対象書類名】明細書
【補正対象項目名】特許請求の範囲
【補正方法】変更
【補正の内容】
【特許請求の範囲】
【請求項１】それぞれが、所定のビットレートのデータ信号を受信し、該ビットレートを使用して該受信されたデータ信号内のデータ情報を回復し、該データ情報を出力するよう動作する少なくとも２つの入力装置と、
前記入力装置にそれぞれ接続されたバッファリング装置であって、それぞれが、対応する該入力装置から前記回復されたデータ情報を受け取り、決められた出力期間において該回復されたデータ情報を出力するよう動作するバッファリング装置と、
前記バッファリング装置に接続されたマッピング装置であって、該バッファリング装置のそれぞれのフィル特性を監視し、前記バッファリング装置のそれぞれについて、対応する該フィル特性を使用して前記出力期間を決定し、該バッファリング装置のそれぞれから前記データ情報を受け取り、該受け取ったデータ情報をデータユニットにマップし、該データユニットを出力するよう動作するマッピング装置と、
を備えるマルチプレクサ。
【請求項２】前記入力装置のそれぞれは、受信した前記データ信号の前記所定のビットレートを判断するよう動作する、
請求項１に記載のマルチプレクサ。
【請求項３】前記入力装置のそれぞれは、受信した前記データ信号の前記所定のビットレートを示すソフトウェア・フラグを受け取る、
請求項１に記載のマルチプレクサ。
【請求項４】前記マッピング装置に接続された出力装置であって、前記データユニットを受け取り、該データユニットを、伝送に適した所定のフォーマットに変換するよう動作する出力装置を備える、
請求項１から請求項３のいずれかに記載のマルチプレクサ。
【請求項５】前記入力装置で受信されたデータ信号は光信号であり、前記入力装置のそれぞれは、光−電気変換器を備え、
前記出力装置は、電気−光変換器を備え、前記伝送に適した所定のフォーマットは、光学的フォーマットである、
請求項１から請求項４のいずれかに記載のマルチプレクサ。
【請求項６】前記入力装置のそれぞれは、前記データ情報を複数のデータ情報セグメントに多重分離するよう動作し、該入力装置からのデータ情報の出力が、該データ情報セグメントの形式であり、
前記出力装置は、複数の前記データユニットを、伝送に適した１つの信号に多重化するよう動作する、
請求項４または請求項５に記載のマルチプレクサ。
【請求項７】前記バッファリング装置およびマッピング装置は、ＣＭＯＳプロセスで製作される、
請求項６に記載のマルチプレクサ。
【請求項８】前記バッファリング装置のそれぞれは、ＦＩＦＯメモリデバイスである、
請求項１から請求項７のいずれかに記載のマルチプレクサ。
【請求項９】前記フィル特性は、出力されていない前記バッファリング装置内に記憶されたデータ情報と、該バッファリング装置内に記憶することのできる最大量との比である、
請求項１から請求項８のいずれかに記載のマルチプレクサ。
【請求項１０】前記マッピング装置は、前記バッファリング装置のそれぞれについて、前記フィル特性を実質的に５０％近い値に維持するよう、前記出力期間を決定する、
請求項９に記載のマルチプレクサ。
【請求項１１】前記マッピング装置は、フレーム生成装置であり、前記受け取ったデータ情報の前記データユニットへの前記マッピングは、複数のフレームを生成するステップを含み、
該フレームのそれぞれは、オーバーヘッド部分および複数のデータセクションを有し、該データセクションのそれぞれが、前記出力期間のうちの１つにおいて前記バッファリング装置のうちの１つから受け取ったデータ情報を含む、
請求項１から請求項１０のいずれかに記載のマルチプレクサ。
【請求項１２】前記フレームのそれぞれにおいて、前記バッファリング装置のそれぞれに所定数の前記出力期間を割り振ることにより、前記マッピング装置が該バッファリング装置のそれぞれについて前記出力期間を決定するよう動作する、
請求項１１に記載のマルチプレクサ。
【請求項１３】前記所定数は、前記バッファリング装置のフィル特性に基づき、それぞれのフレームについて動的に決定される、
請求項１２に記載のマルチプレクサ。
【請求項１４】前記フレームのそれぞれは、該フレーム内の未使用スペースを満たす少なくとも１つのスタッフビットを含み、前記オーバーヘッド部分は、該スタッフビットを除去するのに必要な情報を含む、
請求項１１から請求項１３のいずれかに記載のマルチプレクサ。
【請求項１５】前記スタッフビットは、前記バッファリング装置のフィル特性に基づいて前記フレームのそれぞれに動的に割り振られる、
請求項１４に記載のマルチプレクサ。
【請求項１６】前記マッピング装置が、パケット生成装置であり、前記受け取ったデータ情報の前記データユニットへの前記マッピングは、複数のパケットを生成するステップを含み、
前記パケットのそれぞれは、ヘッダー部分および少なくとも１つのデータセクションを含み、該データセクションは、前記出力期間のうちの１つにおいて前記バッファリング装置のうちの１つから受け取ったデータ情報を含む、
請求項１から請求項１０のいずれかに記載のマルチプレクサ。
【請求項１７】前記フィル特性は、前記バッファリング装置のそれぞれに記憶されたデータ情報量の指標であり、
前記マッピング装置は、前記バッファリング装置のそれぞれについて、前記複数のパケットのうちの１つのパケットの前記データセクションを満たすのに必要なデータ情報量が記憶されている時を判断することにより、該バッファリング装置のうちの１つについて前記出力期間を決定する、
請求項１６に記載のマルチプレクサ。
【請求項１８】前記パケットのそれぞれは、インターネットプロトコル（ＩＰ）のパケットである、
請求項１７に記載のマルチプレクサ。
【請求項１９】前記パケットのそれぞれは、非同期転送モード（ＡＴＭ）セルである、
請求項１７に記載のマルチプレクサ。
【請求項２０】データ信号を受け取り、該受け取ったデータ信号内のデータ情報を回復し、該データ情報を出力するよう動作する入力装置と、
前記入力装置に接続された少なくとも２つのバッファリング装置であって、前記回復されたデータ情報の少なくとも一部を受け取り、該回復されたデータ情報を記憶し、決められた出力期間において該回復されたデータ情報を出力するよう動作する少なくとも２つのバッファリング装置と、
前記バッファリング装置にそれぞれ接続された出力装置であって、それぞれが、前記それぞれのバッファリング装置のフィル特性を監視し、それぞれの該バッファリング装置について、対応するフィル特性を使用して前記出力期間を決定し、それぞれの該バッファリング装置からデータ情報を受け取り、該データ情報を出力するよう動作する出力装置と、
を備えるデマルチプレクサ。
【請求項２１】前記入力装置は、前記データ情報からデータユニット構造を除去することにより、該データ情報を回復する、
請求項２０に記載のデマルチプレクサ。
【請求項２２】前記データユニット構造は、オーバーヘッド部分、前記データ情報を含む複数のデータセクション、および少なくとも１つのスタッフビットを含むフレーム構造である、
請求項２１に記載のデマルチプレクサ。
【請求項２３】前記データユニット構造は、パケット構造である、
請求項２１に記載のデマルチプレクサ。
【請求項２４】前記フィル特性は、出力されていない前記バッファリング装置内に記憶されたデータ情報と、該バッファリング装置内に記憶することのできる最大量との比である、
請求項２０から請求項２３のいずれかに記載のデマルチプレクサ。
【請求項２５】前記出力装置のそれぞれは、前記フィル特性を実質的に５０％近い値に維持するよう、それぞれの前記バッファリング装置について前記出力期間を決定する、
請求項２４に記載のマルチプレクサ。
【請求項２６】前記入力装置で受け取ったデータ信号は光信号であり、前記データ情報は、前記出力装置のそれぞれから光信号として出力され、
前記入力装置は、光−電気変換器を備え、前記出力装置のそれぞれは、電気−光変換器を備える、
請求項２０から請求項２５のいずれかに記載のデマルチプレクサ。
【請求項２７】特定のビットレートのデータ信号を受信し、該ビットレートを使用して該受信されたデータ信号内のデータ情報を回復し、該データ情報を出力するよう動作することができる入力装置と、
前記入力装置に接続されたバッファリング装置であって、該入力装置から前記回復されたデータ情報を受け取り、該データ情報を記憶し、決められた出力期間において該回復されたデータ情報を出力するよう動作することができるバッファリング装置と、
前記バッファリング装置に接続されたマッピング装置であって、前記バッファリング装置内のフィル特性を監視し、前記バッファリング装置について該フィル特性を使用して出力期間を決定し、該バッファリング装置から出力されたデータ情報を受け取り、該受け取ったデータ情報をデータユニットにマップし、該データユニットを出力するよう動作することができるマッピング装置と、
を備えるインターフェース装置。
【請求項２８】前記マッピング装置に接続された出力装置であって、前記データユニットを受け取り、該データユニットを、伝送に適した所定のフォーマットに変換するよう動作する出力装置を備える、
請求項２７に記載のインターフェース装置。
【請求項２９】前記入力装置で受信したデータ信号は光信号であり、該入力装置は光−電気変換器を備え、
前記出力装置は電気−光変換器を備え、前記伝送に適した所定のフォーマットは光学的なフォーマットである、
請求項２８に記載のインターフェース装置。
【請求項３０】前記入力装置は、前記データ情報を複数のデータ情報セグメントに多重分離するよう動作することができ、前記入力装置からのデータ情報の出力は、該データ情報セグメントの形式であり、
前記出力装置は、複数のデータユニットを、伝送に適した信号に多重化するよう動作する、
請求項２８に記載のインターフェース装置。
【請求項３１】前記フィル特性は、出力されていない前記バッファリング装置内に記憶されたデータ情報と、該バッファリング装置内に記憶することのできる最大量との比である、
請求項２７から請求項３０のいずれかに記載のインターフェース装置。
【請求項３２】前記マッピング装置は、前記フィル特性を実質的に５０％近い値に維持するよう、前記バッファリング装置について前記出力期間を決定する、
請求項３１に記載のマルチプレクサ。
【請求項３３】第１のデータ信号を受信し、該受信したデータ信号内の第１のデータユニットを回復し、該第１のデータユニットを出力するよう動作する第１の入力装置と、
特定のビットレートの第２のデータ信号を受信し、該ビットレートを使用して該受信したデータ信号内のデータ情報を回復し、該受信したデータ情報を出力するよう動作する少なくとも１つの第２の入力装置と、
前記入力装置に接続された少なくとも１つの入力バッファリング装置であってであって、前記入力装置から受信されたデータ情報を受け取り、該受信されたデータ情報を記憶し、決められた出力期間において該受信されたデータ情報を出力するよう動作する少なくとも１つの入力バッファリング装置と、
前記入力バッファリング装置に接続されたマッピング装置であって、該入力バッファリング装置内のフィル特性を監視し、該入力バッファリング装置について、対応する該フィル特性を使用して前記出力期間を決定し、前記入力バッファリング装置から前記受信したデータ情報を受け取り、該受け取ったデータ情報を第２のデータユニットにマップし、該第２のデータユニットを出力するよう動作するマッピング装置と、
前記第１および第２のデータユニットを受け取り、いずれの該第１のデータユニットをドロップするかどうか判断し、ドロップすべき該第１のデータユニットを前記マッピング装置に出力するよう動作する追加／ドロップデータユニット装置と、を備え、
前記マッピング装置は、該ドロップされた第１のデータユニットを受け取り、該ドロップされた第１のデータユニット内のデータ情報を回復し、該回復されたデータ情報を出力すると共に、残りの第１のデータユニットおよび第２のデータユニットを出力するよう動作し、
前記マッピング装置に接続された少なくとも１つの出力バッファリング装置であって、前記回復されたデータ情報の少なくとも一部を受け取り、該回復された情報を記憶し、決められた出力期間において該回復されたデータ情報を出力するよう動作する少なくとも１つの出力バッファリング装置と、
前記出力バッファリング装置に接続された少なくとも１つの出力装置であって、該出力バッファリング装置内のフィル特性を監視し、該出力バッファリング装置について、該フィル特性を使用して前記出力期間を判断し、該出力バッファリング装置から出力された前記回復されたデータ情報を受け取り、前記ドロップされた第１のデータユニットに対応する前記回復されたデータ情報を出力するよう動作する出力装置と、
を備えるインターフェース装置。
【請求項３４】前記第１および第２のデータユニットは、データパケットである、
請求項３３に記載のインターフェース装置。